(57)【要約】【課題】  インターネットのウェブサイトを利用して、所望の神社仏閣のおみくじを引くことができるとともに、希薄化した神社仏閣との関わりや造詣を深めることを目的とする。【解決手段】  パーソナルコンピュータからアクセスが可能な、インターネット上に構築されたウェブサイトで、利用者がおみくじを引きたい神社仏閣に実際に赴いて購入するＵＲＬと識別コードが付された媒体と、該媒体に付されたＵＲＬで該ウェブサイトにアクセスし、該識別コードでログインしてユーザー情報を登録した上で、該神社仏閣サイトにログインして、該神社仏閣の年間行事などの各種情報を閲覧するとともに、おみくじを所定の回数引くことができるようにしたことにより、その回数分の神社仏閣の情報に接する機会を提供することを可能なシステムとした。【選択図】図１
2010020736.tif 000002
【特許請求の範囲】
【請求項１】
パーソナルコンピュータからアクセスが可能な、インターネット上に構築されたウェブサイトであって、利用者がおみくじを引きたい神社仏閣に実際に赴いて購入する本システムのウェブサイトにアクセスするためのＵＲＬと識別コードが付された媒体と、該媒体に付されたＵＲＬで該ウェブサイトにアクセスし、該識別コードでログインしてユーザー情報を登録した上で、該神社仏閣サイトにログインして、該神社仏閣の年間行事などの各種情報を閲覧するとともに、おみくじを所定の回数引くことができるようにしたことにより、その回数分の神社仏閣の情報に接する機会を提供することを特徴とする神社仏閣のおみくじ及び情報提供システム。
【請求項２】
前記、登録された利用者のユーザー登録情報を用いて、利用者自身の厄年などの神社仏閣に深く関わる情報や、その神社仏閣固有の行事に関する情報を、ウェブサイト運営者あるいはその神社仏閣から利用者にインターネットメールを介して情報配信することを特徴とする神社仏閣のおみくじ及び情報提供システム。
【発明の詳細な説明】
【技術分野】
【０００１】  本発明は、インターネットのウェブ上で所望の神社仏閣などの情報を得るとともにおみくじを引くための方法に関し、特にアクセスするための識別コードなどの情報が記載された媒体を、所望の神社仏閣などで購入した上で、インターネットの所定のウェブサイトにログインして該所望の神社仏閣の情報を得るとともにおみくじを引くための方法に関する。
【背景技術】
【０００２】  従来、日本の地域社会において人々は年間を通じて祭礼、お宮参り、七五三などといった種々行事において神社仏閣と密接で深い関わりを持ちながら生活をしてきた。また、参拝したおりにはおみくじを引いて運勢の吉凶を占うことがよく行われている。元来、日本人の生活には神社仏閣との関わりが深く根ざしていたが、近年の生活習慣や環境の変化により関わりが極めて希薄になり、年末年始といった特別な時期だけ参拝したり、旅行や観光で訪れた際にその土地にある著名な神社仏閣にたまたま参拝するといった程度となっている。このような状況から、神社仏閣への参拝者の減少が顕著であり、それに伴っておみくじを引くこと自体も減少しているのが実情である。【０００３】  また、一方では生まれた土地の氏神や信仰する神社仏閣に、常日頃参拝したり、おみくじを引きたいといった遠隔地に住む人々の要望や、身体が不自由で日頃常に神社仏閣に参拝したりおみくじが引くことが難儀といった状況もあった。【０００４】  そこで、前記したような課題を解決するために、実際の神社仏閣に赴いて参拝しなくても、インターネットのウェブ上で、所望の神社仏閣のおみくじを引くことのできるシステムが提案されている。【０００５】  例えば、特開２００３−１６１８０号公報（特許文献１）に開示された「通信ネットワークによるおみくじ提供システム」は、ご利益があるとされる著名な神社を始め全国各地の神社のおみくじがいつでもどこでも自由に購入することができる、通信ネットワークによるおみくじ提供システムで、全国各地の神社のおみくじ情報をリアルタイムにデーターベース化して管理運営を行うおみくじ管理本部のＡＳＰサーバー，データーベースサーバー，管理サーバー，音声／ＦＡＸ応答サーバー等をＬＡＮ接続し、更に当該おみくじ管理本部と携帯電話網やインターネット及び公衆網とを専用線接続又はＩＰ−ＶＰＮ接続する。そして、携帯電話網に接続された携帯電話等からのアクセスやインターネットに接続されたパソコン等からのアクセス及び公衆網に接続された電話やＦＡＸからのアクセスに対する自動応答システムにて購入されたおみくじ情報の出力を行うものである。【０００６】  また、特開２００２−７５５８号公報（特許文献２）に開示された「おみくじサービスシステム」は、おみくじやお守り等の由来や言い伝え等の日本古来の伝統文化に関する情報提供を、利用者の興味を引くような方法で提供することができるおみくじサービスシステムで、利用者がおみくじを引くことができる入力ステップと、利用者の前記入力ステップによって選択されたおみくじの内容を表示するステップと、おみくじの内容が表示された後に、お祓いを受けることができる情報を利用者の選択により提供するステップと、厄除け壁紙、縁結び壁紙、巫女マスコット、又は縁結びスクリーンセーバー等のお守りアイテムを利用者の選択によりダウンロードできるサービス提供ステップとを備えたことを特徴とするおみくじサービスシステムである。【０００７】  さらに、特開平６−２８４２１１号公報（特許文献３）に開示された「テレフォンカードによるおみくじ装置」は、端末電話機と識別情報装置とおみくじ情報装置とＣＰＵとテレフォンカードとからなるおみくじ装置であって、任意的に選択されたテレフォンカードには識別子及び電話番号が付されてなり、端末電話機を介してＣＰＵにこの電話番号でアクセスし、識別子或いはこの識別子に基づいて識別情報装置により選択された識別番号を端末電話機を介して公衆回線によりＣＰＵの作動でおみくじ情報装置に入力し、この入力したデータに基づいておみくじ情報装置により一のおみくじ情報データを検索し、この一のおみくじ情報データを端末電話機の拡声器より音声として出力してなるものである。【０００８】
【特許文献１】  特開２００３−１６１８０号公報
【特許文献２】  特開２００２−７５５８号公報
【特許文献３】  特開平６−２８４２１１号公報
【発明の開示】
【発明が解決しようとする課題】
【０００９】  ところで、特許文献１の発明では、神社仏閣に実際に赴かずに、携帯電話やインターネットのウェブサイトや、電話やＦＡＸといった通信網を利用して全国各地の神社のおみくじを引くことが可能であるが、単に全国各地の神社仏閣のおみくじを手軽に引くことができるという点のみの利便性を高めただけであって、神社仏閣への参拝者の増加や、日常生活との関わりの向上、日本古来の伝統的な行事やしきたりの情報提供といった部分においては課題がある。【００１０】  また、特許文献２の発明では、利用者の興味を引く方法でおみくじサービスシステム提供することができるといった特徴があるが、基本的には前述の特許文献１と同じ課題がある。【００１１】  さらに、特許文献３の発明では、テレフォンカードに付された識別子及び電話番号を電話機でダイヤルすることでＣＰＵにアクセスし、おみくじ情報データを電話機で聞くといったものであって、単にその日の運勢の吉凶を占うものに過ぎず、神社仏閣の関連性はまったくないものである。【００１２】  そこで本発明は、上記した課題を考慮し、インターネットのウェブサイトを利用して、所望の神社仏閣のおみくじを引くことができるとともに、希薄化した神社仏閣との関わりや造詣を深めることを目的とした神社仏閣のおみくじ及び情報提供システムを提供することを目的とする。
【課題を解決するための手段】
【００１３】  パーソナルコンピュータからアクセスが可能な、インターネット上に構築されたウェブサイトであって、利用者がおみくじを引きたい神社仏閣に実際に赴いて購入する本システムのウェブサイトにアクセスするためのＵＲＬと識別コードが付された媒体と、該媒体に付されたＵＲＬで該ウェブサイトにアクセスし、該識別コードでログインしてユーザー情報を登録した上で、該神社仏閣サイトにログインして、該神社仏閣の年間行事などの各種情報を閲覧するとともに、おみくじを所定の回数引くことができるようにしたことにより、その回数分の神社仏閣の情報に接する機会を提供することができるシステムとしたことで解決される。【００１４】  また、前記で登録された利用者のユーザー登録情報を用いて、利用者自身の厄年などの神社仏閣に深く関わる情報や、その神社仏閣固有の行事に関する情報を、ウェブサイト運営者あるいはその神社仏閣から利用者にインターネットメールを介して情報配信するシステムとしたことで解決される。
【発明の効果】
【００１５】  パーソナルコンピュータからアクセスが可能な、インターネット上に構築されたウェブサイトであって、利用者がおみくじを引きたい神社仏閣に実際に赴いて購入する本システムのウェブサイトにアクセスするためのＵＲＬと識別コードが付された媒体と、該媒体に付されたＵＲＬで該ウェブサイトにアクセスし、該識別コードでログインしてユーザー情報を登録した上で、該神社仏閣サイトにログインして、該神社仏閣の年間行事などの各種情報を閲覧するとともに、おみくじを所定の回数引くことができるようにしたことにより、その回数分の神社仏閣の情報に接する機会を提供することができるシステムとしたので、利用者は、本システムのウェブサイトにアクセスする度に、該神社仏閣の近況、年間行事、特徴などの各種情報や、マナー、しきたりなどの知識情報を得ることができるとともに、おみくじを引くことによって該神社仏閣に参拝したかのような心理的充足感を得ることが可能となった。また、本システムは所定回数、該神社仏閣にアクセスしておみくじを引くことができるので、その所定の回数の神社仏閣の情報に接する機会を得ることができ、アクセスの都度に前記充足感を得て該神社仏閣との関わりが深まるとともに、媒体を購入するときや所定回数おみくじを引き終わった古い媒体を返納して再び媒体を購入する場合に実際に神社仏閣に赴くことになるので、より該神社仏閣との関わりを深めることを可能とし、該神社仏閣への参拝者の増加といった効果も見込むことを可能としたものである。
さらには、生まれた土地の氏神や信仰する神社仏閣に、常日頃参拝したり、おみくじを引きたいといった遠隔地に住む人々や、身体が不自由で日頃常に神社仏閣に参拝したりおみくじが引くことが難儀といった要望に対しても満足することを可能としたものである。そして、本システムにおいてはウェブサイト上で課金してログインのための識別コードを入手するのではなく、利用者が実際の神社仏閣で識別コードが記載された媒体を購入するシステムとしたので、本システム上に課金システムを設ける必要がなく、決済管理が不要であり、構築が容易で低コスト化を実現した神社仏閣のおみくじ及び情報提供システムを提供することを可能とした。【００１６】  また、前記で登録された利用者のユーザー登録情報を用いて、利用者自身の厄年などの神社仏閣に深く関わる情報や、その神社仏閣固有の行事に関する情報を、ウェブサイト運営者あるいはその神社仏閣から利用者にインターネットメールを介して情報配信するシステムとしたので、前記した、該神社仏閣へのアクセスと合わせて、利用者の神社仏閣に対する関わりが深まるとともに、結果的に神社仏閣への参拝者の増加いった効果も見込むことができる神社仏閣のおみくじ及び情報提供システムを提供することを可能とした。
【発明を実施するための最良の形態】
【００１７】  本発明の第１の実施例について、図面を参照して詳細に説明する。なお、本発明においては日本全国のすべての神社仏閣が、神社仏閣のおみくじ及び情報提供システム（（以下「本システム」という）に加入しているものとして以下説明をする。【００１８】  図１は本システムの概要をフローチャートで表したもので、図２はカード状とした媒体（１）の一例を表したものである。以下、フローチャートに基づいて説明をする。まず、利用者はおみくじを引きたい神社仏閣に実際に赴いて媒体（１）を購入する（Ｓ１）。媒体（１）には図２で一例として表したようにカードに本システムのウェブサイトにアクセスしてログインするためのＵＲＬ（２ａ）と識別コード（２ｂ）が付されており、利用者は自宅などのパーソナルコンピュータからインターネットで該ＵＲＬ（２ａ）を入力することにより当該ウェブサイトにアクセスする（Ｓ２）。そこで識別コード（２ｂ）を入力するとその情報が正しければユーザー登録画面に進行し、氏名（ニックネーム）、性別、生年月日、メールアドレスなどの所定のユーザー登録情報を入力後、識別コード（２ｂ）とユーザー登録情報が関連づけされて本システムにユーザー登録され、本システムのおみくじ画面から所定の回数おみくじを引くログイン権を取得することができる（Ｓ３〜Ｓ９）。【００１９】  これにより利用者は、本システムにアクセス及びログイン後におみくじ画面から、実際に赴いて媒体（１）を購入した神社仏閣のおみくじを、インターネットのウェブサイト上で所定の回数引くことが可能となり、その回数分の神社仏閣の情報に接する機会を得る。また、該画面には吉凶や運勢の説明文が表示され利用回数がカウントされる。そして利用者が確認後にログアウトすることで一連の処理が完了する（Ｓ１０〜Ｓ１４）。なお、本システムはログインした識別コード（２ｂ）とユーザー登録情報をもとにおみくじを引いた回数をカウントし、おみくじ画面に必要に応じて残り回数を表示させるとともに、残り回数がなくなった場合は新たな媒体（１）の購入を促すメッセージが表示するようにした。利用者は、媒体（１）を購入した神社仏閣に再び赴いて、古い媒体（１）を返納するとともに新たな媒体（１）を購入し、ログイン画面から更新登録することで再びおみくじを所定の回数引くことで、その回数分の神社仏閣の情報に接する機会を提供することが可能となる。【００２０】  なお、該おみくじ画面には、例えばその神社仏閣の実際の画像と同時に、年間行事などが表示された看板やメッセージなどを表示することで、実際に参拝したかのような趣としたり、日々、画像、新しい行事やメッセージを更新して表示することにより、神社仏閣との関わりをより深めることができる。【００２１】  以上のように構成したことにより、前記発明の効果で述べたように、極めて利便性が高く、おみくじを所定の回数引くことをできるようにしたことで、その回数分の神社仏閣の情報に接する機会を提供することと、利用者の神社仏閣に対する関わりを深めると同時に、神社仏閣への参拝者の増加といった効果も見込むことができることを可能とした、おみくじ及び情報提供システムを提供することを可能とした。【００２２】  本発明の第２の実施例を説明する。
前記で登録された利用者のユーザー登録情報を用いて、利用者自身の厄年などの神社仏閣に深く関わる情報や、その神社仏閣固有の行事に関する情報を、ウェブサイト運営者あるいはその神社仏閣から利用者にインターネットメールを介して情報配信するシステムとした。これにより、前記発明の効果で述べたように、極めて利便性が高く、利用者の神社仏閣に対する関わりを深めると同時に、神社仏閣への参拝者の増加といった効果も見込むことができることを可能とした、おみくじ及び情報提供システムを提供することを可能とした。【００２３】  なお、本発明において媒体（１）は、図２に表されるようにＵＲＬと識別コードが付されたカード状としたが、態様は特に限定するものではなく、お守り同様の袋状としても良い。神仏のイラスト、名称など神聖なデザインとすることで容易に廃棄されることを防止し、返納及び再購入のために再び神社仏閣に赴くことを心理的に促す。もちろん、実質的にお守りにＵＲＬと識別コードを付したものを、媒体としても良いことはいうまでもない。また、本発明においては、パーソナルコンピュータからアクセスが可能なウェブサイトとしたが、携帯電話機からアクセスすることも可能であることはいうまでもない。その場合は媒体（１）に携帯電話機のカメラ機能で読み込み可能なＱＲコードを付せば、容易に携帯電話機から該ウェブサイトにアクセスすることが可能である。
【図面の簡単な説明】
【００２４】
【図１】本発明の概要を表すフローチャートである。
【図２】本発明の媒体の一例を表す図である。
【符号の説明】
【００２５】１          媒体
２ａ        ＵＲＬ
２ｂ        識別コード
【図１】
2010020736.tif 000003
【図２】
2010020736.tif 000004